(57)【要約】 【課題】農産物や菓子等の小物商品を袋に入れ、袋口を細幅の粘着テープで結紮した商品の開封を容易にする易引裂性巻回粘着テープ、その加工装置及び加工方法を提供する。【解決手段】モーターにより回転する回転台に、該回転台上の回転中心と巻回粘着テープの紙管の中心とが一致する位置に巻回粘着テープを一時的に固定する一方、上下動可能且つ前記回転台の回転中心と一致する位置にある中心軸から、易引裂加工具を装着した少なくとも１本のアームを遠心方向に延出させ、巻回テープのテープ層を覆う位置に、円筒状の易引裂加工具を自転自在に装着し、外周面に多数の半月円弧状突起を密接して設けた易引裂加工具で巻回テープのテープ層を押圧し、巻回テープが回転することにより、易引裂加工具は自転しながら巻回テープの横断面全体に、易引裂加工具の突起を転写した亀裂を、巻回粘着テープの基材層の全体に、高密度に設ける。【選択図】  図５
2008143659.tif 000002
【特許請求の範囲】
【請求項１】
粘着剤層を内面にして紙管に巻回された巻回粘着テープにおいて、巻回ロールの少なくとも一方の断面に、粘着テープ基材に対しほぼ垂直な亀裂が、巻回テープの断面１ｃｍ2 あたり１０００〜５０００個の割合で設けられていることを特徴とする易引裂性巻回粘着テープ。
【請求項２】
巻回粘着テープが、外径８４〜８８ｍｍの紙管に、広幅のフィルムに粘着剤を塗布した粘着シートを５〜１５ｍｍ厚に巻回し、幅８〜１０ｍｍの輪切りにした粘着テープであることを特徴とする請求項１記載の易引裂性巻回粘着テープ。
【請求項３】
モーターにより回転する回転台に、該回転台の回転中心と巻回粘着テープの紙管の中心とが一致する位置に巻回粘着テープを一時的に固定する一方、
上下動可能且つ、前記回転台の回転中心と一致する位置にある中心軸から、易引裂加工具を装着した少なくとも１本のアームを遠心方向に延出させ、巻回テープのテープ層を覆う位置に、円筒状の易引裂加工具を自転自在に装着し、
易引裂加工具は炭素鋼製の円周面に尖針状加工具を、円周面に斜めから刺し込むことにより得られた多数の半月円弧状突起を形成し、該突起が１ｃｍ2 あたり３００ないし５００個設けられていることを特徴とする巻回粘着テープの易引裂加工装置。
【請求項４】
アームの易引裂加工具より先端部に、アーム押圧手段が設けられていることを特徴とする請求項３記載の巻回粘着テープの易引裂加工装置。
【請求項５】
モーターにより回転する回転台に、該回転台の回転中心と巻回粘着テープの紙管の中心とが一致する位置に巻回粘着テープを一時的に固定する一方、
上下動可能且つ、前記回転台の回転中心と一致する位置にある中心軸から、易引裂加工具を装着した少なくとも１本のアームを遠心方向に延出させ、巻回テープのテープ層を覆う位置に、円筒状の易引裂加工具を自転自在に装着し、
外周面に多数の半月円弧状突起を密接して設けた易引裂加工具で、巻回テープのテープ層を押圧し、巻回テープが回転することにより、易引裂加工具は自転しながら巻回テープの横断面全体に、易引裂加工具の突起を転写した亀裂を、巻回粘着テープの基材層の全体に、高密度に設けることを特徴とする巻回粘着テープの易引裂加工方法。
【請求項６】
円筒状の易引裂加工具が、外周面に半月円弧状突起を１ｃｍ2 あたり３００ないし５００個有することを特徴とする請求項５記載の巻回粘着テープの易引裂加工方法。
【請求項７】
回転台上の、巻回粘着テープの紙管と当接する位置に、少なくとも１本の先端が尖った突起物を設け、該突起物が紙管に突き刺さることにより巻回粘着テープを一時的に固定することを特徴とする請求項６記載の巻回粘着テープの易引裂加工方法。
【発明の詳細な説明】
【技術分野】
【０００１】
本発明は野菜や果物等の農産物や菓子等の小物商品を袋に入れ、袋口を約９ｍｍ幅の粘着テープで結紮した商品の開封を容易にする易引裂性巻回粘着テープ、巻回粘着テープの易引裂加工装置及び巻回粘着テープの易引裂加工方法に関する。
【背景技術】
【０００２】
幅９ｍｍ、長さ５０ｍ程度の巻回粘着テープは業界に広く導入され、袋入り商品の袋口を結紮するために広く使用されている。この巻回粘着テープにより袋口を結紮するには、広く流通している結紮装置に袋本体と袋口を両手で持って、装置のスリットに挿入することにより一挙に袋口を結紮する。幅９ｍｍ、長さ５０ｍの巻回粘着テープはこの装置に最も適するテープである。しかしながら、商品を開封するにあたり、粘着テープの粘着力が強く、且つ短く結紮されているために、需要者は手で開封することができず、包丁、鋏等の刃物に頼らなければならなかった。
【０００３】
本発明者は特許文献１において、袋口を結紮した粘着テープに易開封性を付与する加工具を開示した。すなわち、中央部の径が端部の径より連続的に小さくなっており、長さ方向中心部に加工具軸が回転自在に貫通している円柱状加工具であって、径が変化している円周面に硬質で微細な突起が密集して設けられていると共に、円柱の長さが加工すべき巻回テープの幅より長い巻回テープの易引裂加工具である。
この易引裂加工具を、従来の市販されている袋口結紮装置に装着できるように加工し、市販の巻回粘着テープを使用して使用時に易引裂加工ができるようにした。
【０００４】
この袋口結紮加工具はある程度普及したが、該袋口結紮加工具の装着を拒否する業者が存在し、前もって易引裂加工を施した易開封性粘着テープを要求している。市販の袋口結紮装置に装着して使用できる開封テープの巻厚は５〜１５ｍｍ程度であり、これより厚く巻回した粘着テープは市販の袋口結紮加工装置には装着できない実情にあった。
【０００５】
１００ｍを越える巻回粘着テープの場合には基材フィルムに粘着剤層を施した原反をスリットしながら小巻きにしていく。この際に特許文献１の方法で小巻きにする直前に易引裂加工を施すことができる。しかしながら、長さ１００ｍ以下、巻厚２ｃｍ以下の巻回粘着テープに上記方法を使用すると、セットに要する時間が現実の巻回時間より長くなり、作業性に問題があった。現在市販されている長さ１００ｍ以下、巻厚２ｃｍ以下の巻回粘着テープは長い紙管に粘着シートを巻回した後、所定幅に輪切りにして市場に提供されている。
【０００６】
特許文献２には特許文献１の方法で充分な易引裂性が得られなかった場合には、易引裂加工面に隣接する中央部側により大きな傷痕を設けるものである。この場合にはテープの表面に傷を付けることになる。
特許文献３には「紙送りローラ及びその製造方法」が開示されている。そして先端が尖った工具を任意の傾斜角で、斜め方向に突き刺すことにより形成された凹部に隣接し、且つ凹部形成の結果、塑性変形して立ち上がった半月円弧状突起を高密度に形成した紙送りローラが開示されている。
【特許文献１】特許第２７８９５２４号公報
【特許文献２】特開２０００−１６３０２３号公報
【特許文献３】特許第３６２６２８６号公報
【特許文献４】特公昭６１−３９２２８号公報
【発明の開示】
【発明が解決しようとする課題】
【０００７】
長さ５０〜１００ｍ、巻厚１０〜１５ｍｍ程度の巻回粘着テープでなければ、市販の袋口結紮装置に装着することができない。製造工程上、紙管に巻回した後、輪切りにしなければならない巻回粘着テープであっても、輪切りにした状態で確実な易引裂加工を行わなければ、手で開封することのできる袋口結紮商品が充分に普及しない現状にあった。
【課題を解決するための手段】
【０００８】
本発明は上記課題を解決することを目的とし，その構成は、モーターにより回転する回転台に、該回転台の回転中心と巻回粘着テープの紙管の中心とが一致する位置に巻回粘着テープを一時的に固定する一方、上下動可能且つ、前記回転台の回転中心と一致する位置にある中心軸から、易引裂加工具を装着した少なくとも１本のアームを遠心方向に延出させ、巻回テープのテープ層を覆う位置に、円筒状の易引裂加工具を自転自在に装着し、外周面に多数の半月円弧状突起を密接して設けた易引裂加工具で、巻回テープのテープ層を押圧し、巻回テープが回転することにより、易引裂加工具は自転しながら巻回テープの横断面全体に、易引裂加工具の突起を転写した亀裂を、巻回粘着テープの基材層の全体に、高密度に設けることを特徴とし、更に、斯くして得られた巻回粘着テープである。
【０００９】
すなわち、本発明は特許文献３に開示された紙送りローラを加工具として使用し、輪切りにされた巻回粘着テープのテープ面を押圧して粘着テープ基材の横断面に亀裂を生じさせるものである。特許文献４には、フィルムの横断面をワイヤーブラシで擦る方法が開示されているが、ワイヤーブラシでは加工具としての硬度が不足して亀裂を生ぜず、たとえ亀裂が生じても先端部の密度が不足して現実の実施に至らなかった。
【００１０】
本発明は特許文献３に記載された加工具を使用するものである。この加工具は１ｃｍ2 あたり３００〜５００個もの微細突起を有し各突起が半月円弧状であり、鋭い亀裂を生じさせる。輪切りにした巻回粘着テープ面には最大２０μｍ程度の凹凸が存在するが、高さ１００〜１７０μｍの突起を有する加工具を使用すれば均一に加工することができる。しかも、炭素鋼に加工を施した後、焼入れした高硬度の刃物である。本発明の特徴は亀裂がテープ基材の横断面に生じることである。テープ端部の平面上でないことは勿論、テープ平面とテープ断面との境界部でもなく、テープ基材の断面である。
【００１１】
巻回テープは長さ方向の強度が要求される。しかもテープを破る時に加わる力は捩じり応力である。平面上の傷はテープ強度に悪影響を及ぼす上、捩じり応力に対する反応は鈍く、充分な切れ味を得るためには、テープの引裂強度の低下を免れなかった。一方、本発明はテープ基材の横断方向の亀裂のみであるため、粘着テープの強度に何ら悪影響を及ぼさずに、捩じり応力に敏感に反応する。捩じり応力は流通、保管、使用過程では商品に加わらない力である。
【発明の効果】
【００１２】
本発明により、長さ１００ｍ以下、巻厚２ｃｍ以下の巻回粘着テープであっても、輪切りにした状態でテープ基材の横断方向の鋭い亀裂を多数設けることが可能になった。その結果、粘着テープによる袋口結紮商品を安全に輸送保管し、必要時、容易に手で破ることが可能になった。
【発明を実施するための最良の形態】
【００１３】
本発明に係る巻回粘着テープは、径３インチ、幅９ｍｍの紙管に粘着テープを１０〜１５ｍｍ厚に巻回したものを用いて説明したが、径、幅、粘着テープ長さ、粘着テープ厚に限定はなく、本発明の方法、装置を使用して加工できる巻回粘着テープには全て応用できる。したがって、従来スリッターを用いて易引裂加工しながら巻回していた長さ１００ｍ以上のテープにも適用することができる。
【００１４】
図１は本発明易引裂加工装置の１実施例の断面図であり、図２は図１のII−II線断面図である。１は回転台であり、図示せぬモーター及びスイッチにより、回転軸２を回転中心として回転する。回転数は２回ないし数回転以上である。回転数が倍加するに応じて易引裂加工具で押圧加工する回数も倍加する。３は粘着テープであり、紙管４に密着して巻回されている。５は加工時に紙管を所定位置に固定するための釘状の突起である。加工開始時に巻回テープを押圧することにより、突起先端が紙管に刺さり固定され、加工終了後は巻回テープを上に引き上げることにより容易に離すことができる。巻回テープの加工時の一時固定手段としては他の公知の方法を採用することは差し支えない。
【００１５】
６は中心軸であり、図示せぬエアーコンプレッサーにより上下動することができる。中心軸６の下方から２本のアーム７が１８０°間隔で遠心方向に延出している。各アームには粘着テープ層３を覆う位置に円筒状の易引裂加工具８が回転容易に装着されている。すなわち、易引裂加工具８はボールベアリング等を介してアーム７の粘着テープ層３を覆う位置で自由に自転することができる。中心軸６は易引裂加工具８が粘着剤テープ３を充分に押圧する位置まで下降する。９は確実な易引裂加工ができるために、アーム７の易引裂加工具８より先端部においてアームを押圧するためのアーム押圧手段である。
【００１６】
易引裂加工具の表面には、後述する易引裂加工突起１２が施されている。硬質の角棒を炭素鋼からなる円筒の円周面に斜めに突き刺す。その結果、角棒の下に凹部１０が形成され、凹部にあった金属素材は押し出され塑性変形して肉厚で先端が尖った、図３に示すような形状の微小な半月円弧状突起１１を形成する。このようにして得られた易引裂加工突起１２を、例えば、図４に示すように千鳥状に配置していく。
【００１７】
配置方法に限定はないが、半月円弧状突起１１の刃先が接触した巻回粘着テープ３の基材面に鋭い傷を一面に、均等に形成できるような配置であればよい。また、半月円弧状突起１１の方向にも限定がなく、一般には１種類の角度に限定しない方がよい。本実施例においてはテープ長さに沿って互いに逆方向に向かう突起を設けた。円筒状の易引裂加工具８には上記半月円弧状突起１１の山高さは１４０〜１８０μｍであり、５０〜１０００個／ｃｍ2 、好ましくは３００〜６００個／ｃｍ2 存在させる。本実施例においては山高さ１５０μｍ、山幅２００μｍの易引裂加工突起を約５００個／ｃｍ2 設けた。
本発明の易引裂加工具８は、半月円弧状突起１１を形成した後、焼入れをして硬度を増大させ、更にクロムメッキ、ニッケルメッキ等の防錆加工を行う。
【００１８】
中心軸６が下降し、アーム７に装着した易引裂下降具８が粘着テープ３に当接すると同時又は直前に回転台１が回転を始める。粘着テープ３に当接した易引裂下降具８は粘着テープ３に縦方向の亀裂を生じさせながら自転を始める。このようにして粘着テープ３が１回転した場合には、粘着テープは易引裂加工具で２回押圧されたことになる。もし３回転するならば６回押圧されたことになる。このようにして易引裂加工具の山高さや１ｃｍ2 当たりの山数、必要な回転数を決定すれば任意の易引裂加工を施すことができる。
更に、図面においては２本のアーム７を示したが、アームの数は１本でも、３本、４本又はそれ以上であってもよいが、一般には偶数本が好ましい。
【００１９】
上記の方法で得られた易引裂性巻回粘着テープは、図５の一部拡大図に示すように、基材層１５にテープの横断方向に向かう微細な亀裂１３が密集して設けられている。１４は粘着剤層である。
本実施例においては、４５μｍ厚のテープ基材層、２０μｍ厚の粘着剤層からなる粘着シート５０ｍを、径３インチの紙管に巻回し、幅９ｍｍに輪切りにした巻回粘着テープに加工を施した。回転数は２〜３回で充分であった。得られた易引裂性巻回粘着テープは引張強度において未加工のテープと遜色なく、開封にあたっては極めて切れ味よく開封することができた。
【図面の簡単な説明】
【００２０】
【図１】本発明装置の１実施例の縦断面図である。
【図２】図１のII−II線断面図である。
【図３】易引裂加工突起の斜視図である。
【図４】易引裂加工突起の配置図の１例である。
【図５】本発明の易引裂性巻回粘着テープの一部拡大斜視図である。
【符号の説明】
【００２１】
１  回転台
２  回転軸
３  粘着テープ
４  紙管
５  突起
６  中心軸
７  アーム
８  易引裂加工具
９  アーム押圧手段
１０  凹部
１１  半月円弧状突起
１２  易引裂加工突起
１３  亀裂
１４  粘着剤層
１５  基材層
【図１】
2008143659.tif 000003
【図２】
2008143659.tif 000004
【図３】
2008143659.tif 000005
【図４】
2008143659.tif 000006
【図５】
2008143659.tif 000007